【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
電力源と負荷との間でエネルギー伝送するための無線エネルギー伝送システムにおいて、
ソース側共振器コイルと、
デバイス側共振器コイルと、
前記電力源から電力を受取ると共に、ソース側インピーダンス整合回路網を介して前記ソース側共振器コイルを駆動するように構成された、整調可能なスイッチング増幅器であって、電子的制御可能なスイッチング素子を備える、該スイッチング増幅器と、
前記負荷を駆動すると共に、デバイス側インピーダンス整合回路網を介して前記デバイス側共振器コイルからエネルギーを受取るように構成された、整調可能なスイッチング整流器であって、電子的制御可能なスイッチング素子を備える、該スイッチング整流器と、
前記整調可能な増幅器における前記スイッチング素子のスイッチング特性を制御し、前記電力源から抽出した電力を調節するよう構成した、ソース側の増幅器制御部と、及び
前記整流器における前記スイッチング素子のスイッチング特性を制御し、前記負荷に現れる出力電気波形の特性を調節するよう構成した整流器制御部であって、前記ソース側の増幅器制御部に結合すると共に当該ソース側の増幅器制御部と通信するように構成した、該整流器制御部と
を備え、
前記システムの動作中、前記増幅器制御部は、ほぼ固定のスイッチング周波数で、前記増幅器の素子を変調し、そして、前記デバイス側共振器コイルは、前記ソース側共振器コイルに誘導的に結合される、無線エネルギー伝送システム。
【請求項２】
請求項１記載の無線エネルギー伝送システムにおいて、前記増幅器はハーフブリッジのトポロジーを有し、また前記ソース側の増幅器制御部は前記増幅器における前記スイッチング素子のスイッチングデューティサイクルを制御する構成とした、無線エネルギー伝送システム。
【請求項３】
請求項１記載の無線エネルギー伝送システムにおいて、前記増幅器はフルブリッジのトポロジーを有し、また前記ソース側の増幅器制御部は前記増幅器における前記スイッチング素子の位相を制御する構成とした、無線エネルギー伝送システム。
【請求項４】
請求項１記載の無線エネルギー伝送システムにおいて、前記整流器はハーフブリッジのトポロジーを有し、また前記整流器制御部は前記整流器における前記スイッチング素子のスイッチングデューティサイクルを制御する構成とした、無線エネルギー伝送システム。
【請求項５】
請求項１記載の無線エネルギー伝送システムにおいて、前記整流器はフルブリッジのトポロジーを有し、また前記整流器制御部は前記整流器における前記スイッチング素子の位相を制御する構成とした、無線エネルギー伝送システム。
【請求項６】
請求項１記載の無線エネルギー伝送システムにおいて、前記整流器制御部は、前記負荷に現れる、電気波形の電圧を制御する構成とした、無線エネルギー伝送システム。
【請求項７】
請求項１記載の無線エネルギー伝送システムにおいて、前記整流器制御部は、前記負荷に現れる、電気波形の電流を制御する構成とした、無線エネルギー伝送システム。
【請求項８】
請求項１記載の無線エネルギー伝送システムにおいて、前記整流器制御部は、前記負荷に現れる、電気波形の電力を制御する構成とした、無線エネルギー伝送システム。
【請求項９】
請求項１記載の無線エネルギー伝送システムにおいて、前記ソース側の増幅器制御部は、前記電力源から抽出した電力を調節するように構成され、前記電力源から前記負荷への送電効率を最適化する、無線エネルギー伝送システム。
【請求項１０】
請求項４記載の無線エネルギー伝送システムにおいて、前記ソース側の増幅器制御部は、前記電力源から抽出した電力を調節するように構成され、前記整流器における前記スイッチング素子の５０％デューティサイクルを維持する、無線エネルギー伝送システム。
【請求項１１】
請求項５記載の無線エネルギー伝送システムにおいて、前記ソース側の増幅器制御部は、前記電力源から抽出した電力を調節するように構成され、前記整流器における前記スイッチング素子で５０％位相シフトを維持する、無線エネルギー伝送システム。
【請求項１２】
請求項１記載の無線エネルギー伝送システムにおいて、前記増幅器制御部は、前記増幅器における前記スイッチング素子のスイッチング特性のうち少なくとも１つの不感時間を制御して、ゼロ電圧スイッチングを維持するよう構成した、無線エネルギー伝送システム。
【請求項１３】
請求項１２記載の無線エネルギー伝送システムにおいて、前記増幅器制御部は、前記増幅器の出力電圧及び出力電流の測定に基いて前記少なくとも１つの不感時間を制御するように構成された、無線エネルギー伝送システム。
【請求項１４】
請求項１記載の無線エネルギー伝送システムにおいて、前記整流器制御部は、前記整流器における前記スイッチング素子のスイッチング特性のうち少なくとも１つの不感時間を制御して、ゼロ電圧スイッチングを維持するよう構成した、無線エネルギー伝送システム。
【請求項１５】
請求項１４記載の無線エネルギー伝送システムにおいて、前記増幅器制御部は、前記整流器の出力電圧及び出力電流の測定に基いて前記少なくとも１つの不感時間を制御するように構成された、無線エネルギー伝送システム。
【請求項１６】
請求項１記載の無線エネルギー伝送システムにおいて、前記ソース側インピーダンス整合回路網は、少なくとも１個の整調可能素子を有する構成とした、無線エネルギー伝送システム。
【請求項１７】
請求項１６記載の無線エネルギー伝送システムにおいて、前記少なくとも１個の整調可能素子は、調整可能のキャパシタを備える、無線エネルギー伝送システム。
【請求項１８】
請求項１７記載の無線エネルギー伝送システムにおいて、前記システムは、前記ソース側共振器コイルの共振周波数を維持するために、前記調整可能のキャパシタを調整するように構成される、無線エネルギー伝送システム。
【請求項１９】
請求項１７記載の無線エネルギー伝送システムにおいて、前記システムは、前記電力源から抽出した電力を伝送するために、前記調整可能のキャパシタを調節するように構成される、無線エネルギー伝送システム。
【請求項２０】
請求項１７記載の無線エネルギー伝送システムにおいて、前記システムは、前記電力源から抽出した電力を、前記増幅器における前記スイッチング素子の５０％デューティサイクル又は５０％位相シフトを維持して伝送するために、前記調整可能のキャパシタを調節するように構成される、無線エネルギー伝送システム。
【請求項２１】
無線エネルギー伝送システム内の負荷に伝送されるエネルギーを制御する方法において、
整調可能なデューティサイクルを有するスイッチング素子を備える増幅器を設けたソースを準備するソース側準備ステップと、
整調可能なデューティサイクルを有するスイッチング素子を備える整流器を設けたデバイスを準備するデバイス側準備ステップであり、前記整流器を前記ソース側の前記増幅器に結合すると共に当該ソース側の前記増幅器と通信するように構成した、該デバイス側準備ステップと、
前記整流器の出力における電力要求に基いて、前記整流器における前記スイッチング素子の前記デューティサイクルを調整するステップと、
前記整流器における前記スイッチング素子を操作するために、ほぼ５０％デューティサイクルで、前記増幅器における前記スイッチング素子の前記デューティサイクルを調整するステップと
を有する、方法。
【請求項２２】
請求項２１記載の方法において、前記システムにおける１つ以上の動作特性を前記増幅器に通信するために、前記整流器を使用するステップを有する、方法。
【請求項２３】
請求項２１記載の方法において、前記整流器スイッチング素子の前記デューティサイクルを調整して、前記整流器の出力で一定電圧を生ずるように、前記整流器を使用するステップを有する、方法。
【請求項２４】
請求項２１記載の方法において、前記整流器スイッチング素子の前記デューティサイクルを調整して、前記整流器の出力で一定電流を生ずるように、前記整流器を使用するステップを有する、方法。